(57)【特許請求の範囲】
【請求項１】
導水管を兼ねる柄と、該柄の先端に取り付けられたワイパーヘッドとからなり、
上記ワイパーヘッドは、横に細長いヘッド基台の一方の長側辺に、ガラスを摺擦するための吸水性ある摺擦部材と、洗浄液を供給するためのノズル孔とを有すると共に、該ヘッド基台の内部に、上記ノズル孔と柄内部の導水通孔とを結ぶ連通孔を有し、
上記ノズル孔は、上記ヘッド基台の長側辺の中央部分の上記摺擦部材の上面に近接する位置に、該長側辺に沿って細長く開口した状態で部分的に配設されていて、該ノズル孔の直前に上記摺擦部材の上面が面しており、それによって該ノズル孔からの洗浄液が上記摺擦部材の上面に沿って流出するように形成されていることを特徴とする給液式ガラスワイパー。
【請求項２】
上記ヘッド基台の下面に、洗浄液が柄側に逆流するのを防止するためのガード壁が形成されていることを特徴とする請求項１に記載のガラスワイパー。
【請求項３】
上記摺擦部材が、スポンジ体と不織布とを積層した二層構造を有していて、不織布を外側にして二つに折り曲げた状態で上記ヘッド基台の長側辺に沿って取り付けられていることを特徴とする請求項１又は２に記載のガラスワイパー。
【請求項４】
上記ヘッド基台の他方の長側辺に、ガラスに付着した水を掻き取るためのヘラ部材が取り付けられていることを特徴とする請求項１から３の何れかに記載のガラスワイパー。
【発明の詳細な説明】
【技術分野】
【０００１】
本発明は、洗浄液を供給しながらガラスを清掃する給液式ガラスワイパーに関するものである。
【背景技術】
【０００２】
洗浄液を供給しながらスポンジ体や不織布あるいはゴムヘラ等の摺擦部材でガラスを清掃する給液式のガラスワイパーは、従来より公知である。この公知のガラスワイパーとして、上記摺擦部材をスポンジ体で形成し、このスポンジ体の内部に洗浄液を導入することにより、該スポンジ体から洗浄液を滲出させながらガラス面に供給するようにしたものがある。
【０００３】
ところが、このように、洗浄液をスポンジ体の内部に供給することによって該スポンジ体から流れ出るようにしたものは、洗浄液を一杯に含んだスポンジ体をガラスに押し付けたとき、圧縮されたスポンジ体から洗浄液が絞り出されて該スポンジ体の両端面や下面などから床や手元側に流れ落ち、ガラスに有効に供給されにくいだけでなく、清掃を行いにくいという欠点があった。
【０００４】
また、特許文献１には、ゴムワイパーで窓ガラスを清掃する窓用ワイピング清掃具について開示されている。この清掃具は、上記ゴムワイパーを取り付けたワイパーヘッドの上面に洗浄液噴出ノズルを備えていて、このノズルから窓ガラスに向けて洗浄液を噴射したあと、上記ゴムワイパーで拭き取りながら該窓ガラスを清掃するものである。
【０００５】
しかしながら、この清掃具は、上記ノズルがゴムワイパーからかなり離れた位置に形成されているため、洗浄液を窓ガラスに向けて直接かつ勢い良く噴射させなければならず、窓ガラスに当たった洗浄液が周囲に飛散して床や壁などに付着し易いという欠点がある。しかも、上記ノズルは、ワイパーヘッドの中央に配設されていて、洗浄液を窓ガラスの一点に向けて集中的に噴射するものであるため、該洗浄液が細長いゴムワイパー全体に行き渡りにくく、清掃効率が悪い。
【特許文献１】登録実用新案第３０３３５９２号公報
【発明の開示】
【発明が解決しようとする課題】
【０００６】
そこで本発明の目的は、摺擦部材を通じて洗浄液をガラスに効率良くかつ周囲に飛散しないように供給しながらガラスを清掃することができる、使用性に勝れた給液式ガラスワイパーを提供することにある。
【課題を解決するための手段】
【０００７】
上記課題を解決するため、本発明の給液式ガラスワイパーは、導水管を兼ねる柄と、該柄の先端に取り付けられたワイパーヘッドとからなり、上記ワイパーヘッドは、横に細長いヘッド基台の一方の長側辺に、ガラスを摺擦するための吸水性ある摺擦部材と、洗浄液を供給するためのノズル孔とを有すると共に、該ヘッド基台の内部に、上記ノズル孔と柄内部の導水通孔とを結ぶ連通孔を有し、上記ノズル孔は、上記ヘッド基台の長側辺の中央部分の上記摺擦部材の上面に近接する位置に、該長側辺に沿って細長く開口した状態で部分的に配設されていて、該ノズル孔の直前に上記摺擦部材の上面が面しており、それによって該ノズル孔からの洗浄液が上記摺擦部材の上面に沿って流出するように形成されていることを特徴とするものである。
【０００８】
本発明においては、上記ヘッド基台の下面に、洗浄液が柄側に逆流するのを防止するためのガード壁が形成されていても良い。
【０００９】
本発明において、上記摺擦部材は、スポンジ体と不織布とを積層した二層構造を有していて、不織布を外側にして二つに折り曲げた状態で上記ヘッド基台の長側辺に沿って取り付けられている。
【００１０】
また、上記ヘッド基台の他方の長側辺には、ガラスに付着した水を掻き取るためのヘラ部材が取り付けられていても良い。
【発明の効果】
【００１１】
本発明によれば、洗浄液を供給するためのノズル孔が、上記ヘッド基台の長側辺の中央部分の上記摺擦部材の上面に近接する位置に、該長側辺に沿って細長く開口した状態で部分的に配設されていて、該ノズル孔の直前に上記摺擦部材の上面が面しているため、このノズル孔から摺擦部材の上面に沿って流出する洗浄液は、主として該摺擦部材の上面を伝ってガラスに供給され、一部が該摺擦部材に浸透することによりこの摺擦部材を通してガラスに供給される。そして、洗浄液が摺擦部材に十分浸透すると、それ以上は浸透しにくいため、該洗浄液は摺擦部材の上面に沿って該摺擦部材全体に拡散しながらガラスに供給されることになり、この結果、洗浄液をガラスに効率良くかつ周囲に飛散しないように供給しながら清掃することができる。
【発明を実施するための最良の形態】
【００１２】
図１〜図５は本発明に係る給液式ガラスワイパーの一実施形態を示すもので、このガラスワイパーは、操作用の柄１と、該柄１の先端に取り付けられたワイパーヘッド２とからなっている。
上記柄１は、金属や合成樹脂などの硬質素材からなるパイプにより形成されていて、水道水などの洗浄液を上記ワイパーヘッド２に供給するための導水管を兼ねるものである。従って、該柄１の内部には導水通孔４が形成され、基端部には、水道の蛇口などの洗浄液源に通じるホース５を接続するための接続部１ａが形成されている。図中１ｂは、該柄１の基端部に形成されたグリップ部である。
【００１３】
上記ワイパーヘッド２は、横に細長い矩形の平面形状をなす合成樹脂製のヘッド基台２Ａと、上記柄１に連結するための円筒状をした連結筒部２Ｂとを有している。上記ヘッド基台２Ａは、下側の第１部材１１と、この第１部材１１の上面にねじ１５で分離自在に結合された上側の第２部材１２とからなっていて、上記第１部材１１の下面中央位置に、上記連結筒部２Ｂが、下方に向けて一体に延設されている。
【００１４】
また、上記ヘッド基台２Ａは、その左右両側に、長手方向に延びる第１長側辺１３と第２長側辺１４とを有し、一方の第１長側辺１３には、ガラスを摺擦して清掃するための吸水性ある摺擦部材１６と、該摺擦部材１６に洗浄液を供給するためのノズル孔１７とが設けられ、他方の第２長側辺１４には、ガラスに付着した水を掻き取るためのヘラ部材１８が取り付けられている。
【００１５】
上記摺擦部材１６は、図６に示すように、スポンジ体２１と不織布２２とを積層して形成した二層構造をなす長方形の板状部材２０を、同図に鎖線で示すように不織布２２を外側にして二つに折り曲げ、部材２０の両端２０ａ，２０ａが重合する側を上記第１部材１１と第２部材１２との間に挟持させることにより、丸みを帯びた折曲部２０ｂ側をヘッド基台２Ａの側方に突出させた状態で上記第１長側辺１３に沿って取り付けられている。図中１９は、第１部材１１と第２部材１２とに形成された係止爪で、摺擦部材１６に食い込んで係止することによって該摺擦部材１６の脱落を防止するものである。
しかし、上記摺擦部材１６は上述した構成以外の構成であっても良く、例えば、スポンジ体のみで形成されていても、不織布のみで形成されていても良い。
【００１６】
上記第２部材１２における上記第１長側辺１３側の側辺には、上記摺擦部材１６の上面に沿って斜め上方に延びる庇部１２ａが形成され、この庇部１２ａによって該摺擦部材１６の上面の一部が覆われている。この庇部１２ａは、清掃時に摺擦部材１６が上方に向けて過度に変形するのを規制する役目と、ノズル孔１７から供給された洗浄液が第２部材１２の上面側に逆流するのを防止する役目とを果たすものである。
【００１７】
上記ノズル孔１７は、上記第２部材１２に形成されている。即ち、矩形のプレート状をしたこの第２部材１２における上記第１長側辺１３側の側辺には、上記摺擦部材１６よりも上方の位置に、該摺擦部材１６の上面に近接して開口するように上記ノズル孔１７が設けられていて、該ノズル孔１７の直前に上記摺擦部材１６の上面が面した状態となっている。このノズル孔１７は、横に細長い一つの孔であって、ヘッド基台２Ａの第１長側辺１３に沿って延びている。この場合、このノズル孔１７は第１長側辺１３の全長に亘って延設しても良いが、好ましくは、図示したように、第１長側辺１３の中央部付近だけに部分的に形成することであり、その場合のノズル孔の好ましい長さは、該第１長側辺１３の１／３〜１／２程度である。なお、このノズル孔１７は、複数の小孔を横に並べたものであっても良い。
【００１８】
また、第２部材１２の上記ノズル孔１７に対応する位置には、該第２部材１２の上面側に膨出する流路部２４が形成され、この流路部２４の内部に形成された連通孔２５と、第１部材１１と第２部材１２とに形成された連通孔２６とを通じて上記ノズル孔１７が、柄１の内部の導水通孔４に連通している。
【００１９】
上記ヘッド基台２Ａの下面、即ち第１部材１１の下面には、洗浄液が柄１側に逆流するのを防ぐためのガード壁２８が形成されている。このガード壁２８は、上記第１部材１１の下面中央部から下向きに延出する下向壁部分２８ａと、連結筒部２Ｂの両側面から側方に延出する横向壁部分２８ｂと、該連結筒部２Ｂの上記ノズル孔１７（摺擦部材１６）側の半周部分に水平方向に延出するように形成された水平壁部分２８ｃとからなるもので、これらの各壁部分２８ａ，２８ｂ，２８ｃが全体として切れ目なく一体に連なっている。また、上記第１部材１１の下面は、上記ガード壁２８を境にして互いに異なる形状に形成されていて、上記摺擦部材１６側の半部は水平かつ平坦な下面３０ａであり、ヘラ部材１８側の半部は傾斜する下面３０ｂである。
【００２０】
上記ヘラ部材１８は、ゴムや合成樹脂等の弾性ある部材で長方形の板状に形成され、その基端部を第１部材１１と第２部材１２との間に挟持されることによってヘッド基台２Ａの第２長側辺１４に、先端側が斜め上向きとなるように傾斜させた状態で取り付けられている。
また、上記第２部材１２における第２長側辺１４側の側辺には、上記ヘラ部材１８の上面に沿って斜め上方に延びる庇部１２ｂが形成され、この庇部１２ｂによって該ヘラ部材１８の上面の一部が覆われている。この庇部１２ｂは、清掃時にこのヘラ部材１８が上方に向けて過度に変形するのを規制する役目を果たすものである。
【００２１】
上記構成を有するガラスワイパーは、柄１に給液用のホース５を接続し、ノズル孔１７から摺擦部材１６の上面に沿って必要流量の洗浄液を供給しながら、該摺擦部材１６でガラスを清掃するものである。このとき、上記ノズル孔１７が、摺擦部材１６より上方の該摺擦部材１６の上面に近接する位置にヘッド基台２Ａの長側辺１３に沿って横に細長く配設され、該ノズル孔１７の直前に上記摺擦部材１６の上面が面しているため、このノズル孔１７から摺擦部材１６の上面に沿って少しずつ流出する洗浄液は、主として該摺擦部材１６の上面を伝ってガラスに供給され、一部は該摺擦部材１６に浸透することによってこの摺擦部材１６を通してガラスに供給される。
【００２２】
洗浄液が摺擦部材１６に十分浸透すると、それ以上は浸透しにくいため、該洗浄液は摺擦部材１６の上面を伝って該摺擦部材１６全体に拡散しながらガラスに供給されることになり、この結果、上記洗浄液は、摺擦部材１６から滴り落ちたり周囲に飛散したりすることなく、ガラスに効率良くかつ確実に供給されることになる。
【００２３】
清掃中に洗浄液が摺擦部材１６から第１部材１１側に流下したとしても、この洗浄液はガード壁２８によって受け止められ、このガード壁２８を伝って直接滴り落ちるため、柄１側に逆流して手や衣服等を汚すことがない。
上記摺擦部材１６による清掃が終了したあとガラスに付着したままの水滴は、ヘラ部材１８で掻き取ることにより除去する。
【図面の簡単な説明】
【００２４】
【図１】本発明に係るガラスワイパーの一実施形態を柄の中間部を省略して示す斜視図である。
【図２】図２の要部拡大斜視図である。
【図３】図２の背面図である。
【図４】図３の側面図である。
【図５】図２の中央部の位置での縦断面図である。
【図６】摺擦部材の展開状態での側面図である。
【符号の説明】
【００２５】
１    柄
２    ワイパーヘッド
２Ａ    ヘッド基台
４    導水通孔
１３    第１長側辺
１４    第２長側辺
１６    摺擦部材
１７    ノズル孔
１８    ヘラ部材
２１    スポンジ体
２２    不織布
２５，２６    連通孔
２８    ガード壁
【図１】
0004677324.tif 000002
【図２】
0004677324.tif 000003
【図３】
0004677324.tif 000004
【図４】
0004677324.tif 000005
【図５】
0004677324.tif 000006
【図６】
0004677324.tif 000007